(57)【要約】【課題】  １台の表示装置によって複数の人に異なる映像を表示したり、立体映像を表示したりすることができ、全周囲のどの角度からでも映像が見られるようにし、また、全周囲の異なる角度で異なる映像が見られるようにした。さらに、全周囲のどの角度からでも立体映像が見られるようにした。【解決手段】  駆動部と、駆動部によって回転する回転部と、回転部と共に回転し映像を表示する表示部と、同じく回転部と共に回転し表示部からの映像を反射する鏡と、この鏡の映像を回転部の外部から見るために回転部の側壁に設けられたスリットとを供え、回転部の回転数と表示部の映像フレームの周期とを所定の比率で同期させ、スリットを通して表示部からの映像が見られるようにした。【選択図】図１
2005300813.tif 000002
【特許請求の範囲】
【請求項１】
駆動部と、駆動部によって回転する回転部と、回転部と共に回転し映像を表示する表示部と、同じく回転部と共に回転し表示部からの映像を反射する鏡と、この鏡の映像を回転部の外周から見るために回転部の側壁に設けられたスリットとを供え、回転部の回転数と表示部の映像フレームの周期とを所定の比率で同期させ、スリットを通して表示部からの映像が見られるようにしたことを特徴とする映像表示方法。
【請求項２】
回転部の外周の異なる角度において、異なる映像が見られるように表示部の映像信号を組合せたことを特徴とする請求項１に記載の映像表示方法。
【請求項３】
スリットから映像を見る左右の目に対して、視差のある映像を表示し、立体映像が見られるように表示部の映像信号を組合せたことを特徴とする請求項１に記載の映像表示方法。
【請求項４】
スリットが表示部からの映像の所定のフレームに同期するよう、回転部をステッピング回転させるようにしたことを特徴とする請求項１に記載の映像表示方法。
【発明の詳細な説明】
【技術分野】
【０００１】
本発明は、円筒外周より映像を観察する方法に関するものであり、特に回転する円筒の外周３６０度、どの方向からでも見ることができる映像表示方法に関するものである。
【背景技術】
【０００２】
従来、特許文献１に示されたように、全方位画像全体を観察者の全周囲に表示することができる全方位映像表示システムが提案されていた。
【０００３】
しかしこの方法は、凸形の回転対称面から成る反射鏡に全方位映像を投射し、その反射光を円筒形のスクリーンに投影するもので、反射鏡が回転双曲面又は円錐面から成るため歪のない映像を表示することが困難であり、また、全周囲に同一の画像しか表示できない欠点があった。
【０００４】
【特許文献１】特開２００３−３４４９６２号公報
【発明の開示】
【発明が解決しようとする課題】
【０００５】
この発明は、かかる現状に鑑み創案されたものであって、その第１の目的とするところは、簡単な構造でありながら、回転する円筒の外周にいる観察者が歪のない映像を観察することができる映像表示方法を提供することにある。
【０００６】
本発明の第２の目的とするところは、回転する円筒の外周にいる観察者が、円筒周囲の異なる角度において異なる映像を観察することができる映像表示方法を提供することにある。
【０００７】
本発明の第３の目的とするところは、回転する円筒の外周にいる観察者が、容易に立体映像を観察することができる映像表示方法を提供することにある。
【０００８】
本発明の第４の目的とするところは、回転する円筒の外周にいる観察者が、フレームの乱れが無く常に安定した映像を観察することができる映像表示方法を提供することにある。
【課題を解決するための手段】
【０００９】
上記目的を達成するため、請求項１に記載の発明にあっては、駆動部と、駆動部によって回転し映像を表示する回転部と、回転部と共に回転する表示部と、同じく回転部と共に回転し表示部からの映像を反射する鏡と、この鏡の映像を回転部の外部から見るために回転部の側壁に設けられたスリットとを供え、回転部の回転数と表示部の映像フレームの周期とを所定の比率で同期させ、スリットを通して表示部からの映像が見られるようにしたことを特徴とする。
【００１０】
請求項２に記載の発明にあっては、請求項１の回転部外周の異なる角度において、異なる映像が見られるように表示部の映像信号を組合せたことを特徴とする。
【００１１】
請求項３に記載の発明にあっては、請求項１のスリットから映像を見る左右の目に対して、視差のある映像を表示し、立体映像が見られるように表示部の映像信号を組合せたことを特徴とする。
【００１２】
請求項４に記載の発明にあっては、請求項１のスリットが表示部からの映像の所定のフレームに同期するよう、回転部をステッピング回転させるようにしたことを特徴とする。
【発明の効果】
【００１３】
以上説明したように、請求項１に記載の発明にあっては、駆動部と、駆動部によって回転し映像を表示する回転部と、回転部と共に回転する表示部と、同じく回転部と共に回転し表示部からの映像を反射する鏡と、この鏡の映像を回転部の外周から見るために回転部の側壁に設けられたスリットとを供え、回転部の回転数と表示部の映像フレームの周期とを所定の比率で同期させ、スリットを通して表示部からの映像が見られるようにしたため、映像の歪がなく、１台の表示装置によって回転部の周囲のどこからでも複数の人に映像を表示することができる。
【００１４】
請求項２に記載の発明にあっては、請求項１の回転部外周の異なる角度において、異なる映像が見られるように表示部の映像信号を組合せたため、１台の表示装置によって複数の人に異なる映像を表示することができる。
【００１５】
請求項３に記載の発明にあっては、請求項１のスリットから映像を見る左右の目に対して、視差のある映像を表示し、立体映像が見られるように表示部の映像信号を組合せたため、容易に立体映像を表示することができる。
【００１６】
請求項４に記載の発明にあっては、請求項１のスリットが表示部からの映像の所定のフレームに同期するよう、回転部をステッピング回転させるようにしたため、フレームの乱れが無く常に安定した映像を表示することができる。
【発明を実施するための最良の形態】
【００１７】
以下、添付図面に示す発明の実施の形態例に基づき、この発明を詳細に説明する。
【実施例１】
【００１８】
図１は、本発明になる映像表示方法の原理を示す図であり、符号１は駆動部であって内部にモーター２、回転軸３と、モーター２の回転力を回転軸３に伝える動力伝達部４が組み込まれている。
【００１９】
符号５は回転部であり、その内部には回転軸３によって回転される表示部６があり、この表示部６はＬＣＤ或はプラズマディスプレーなどを使用して映像を表示する。
【００２０】
符号７は鏡であり、表示部６と一体になって回転する。
【００２１】
符号６１はスリップリングであり、駆動部１の内部に設けられた、図示しない映像源から回転する表示部６へ映像信号を供給する。
【００２２】
符号８は回転部５の側壁に設けられたスリットであり、このスリット８を通して表示部６からの映像を鏡７を介して目９に送っている。
【００２３】
テレビのＮＴＳＣ方式は飛び越し走査方式（インターレース方式）であるため、１秒間に６０フィールドで３０フレームの画面を構成しているので、回転部５を毎秒６０回転させると、６０分の１秒ごとに相補完する２つのフィールドが見られ、１つのフレームを見ることができる。
【００２４】
順次走査方式（プログレッシブ方式）の場合は、３０分の１秒ごとに１フレームをすべて走査しているため、回転部５を毎秒３０回転させる。
【００２５】
モーター２にステッピングモーターを採用したり、動力伝達部４の動力伝達機構をステッピング方式にすることにより、スリット８を映像の各フィールドあるいはフレームに同期させることができ、安定した映像を表示することができる。
【００２６】
表示部６から複数のテレビチャンネルの映像を組合せて送出すると、見る角度によって異なるテレビチャンネルの映像を見ることができる。
【００２７】
立体物を複数の異なる角度から撮影しておき、順次表示することにより、鑑賞者は移動することなく希望する角度からの映像を見ることができる。
【００２８】
この装置を円卓の中心に設置すると、円卓を囲んで着席した複数の人に対して同じ映像を見せることが可能であるが、表示部６の映像を組合せることにより、着席した位置によって異なる映像を見せることも可能である。
【００２９】
図２は立体映像を表示する場合の説明図であるが、表示部６から鏡７、スリット８を介して左右の目９１、９２に対し、視差のある画像を送出すると、立体映像を表示することが可能である。
【００３０】
この実施例１に係る映像表示方法は、表示部６から送出する個々の画像の変化と、回転部５の回転数とを同期させ、あるいは関連付けて表示するよう構成したので、上述のように従来得られなかった特殊な映像表示が可能となる。
【産業上の利用可能性】
【００３１】
この発明に係る映像表示方法は、以上のように構成されているので、１台の表示装置によって複数の人に異なる映像を表示したり、立体映像を表示したりすることができる。
【図面の簡単な説明】
【００３２】
【図１】この発明に係る映像表示方法の原理を示す図である。
【図２】この発明に係る映像表示方法により立体映像を表示する場合の説明図である。
【符号の説明】
【００３３】
１  駆動部
２  モーター
３  回転軸
４  動力伝達部
５  回転部
６  表示部
６１  スリップリング
７  鏡
８  スリット
９  目
【図１】
2005300813.tif 000003
【図２】
2005300813.tif 000004